(57)【要約】【課題】レターオープナーにおける回転刃、モータおよびこのモータの駆動回路を構成する主回路部分が、電池の交換時に外部に露呈しないようにする。【解決手段】アッパーボックス１の内部空間１３には、通し溝１０ａに入れ込まれてこの通し溝１０ａに沿って移動される封筒Ｌの縁部Ｌａにこの移動方向に沿ったカッティングを施す回転刃体１５と、この回転刃体１５を駆動させるモータ１６ａとが納められていると共に、このモータ１６ａの駆動回路における主回路部分１６が配設されている。ロアケース２には、電池装填部２２が形成されていると共に、前記モータ１６ａの駆動回路における電源回路部分２３が配設されている。アッパーボックス１にロアケース２を嵌め付けることにより、主回路部分１６と電源回路部分２３とが電気的に接続されるようになっている。【選択図】図４
2006076025.tif 000002
【特許請求の範囲】
【請求項１】
上部に封筒の縁部の通し溝を備え、この上部と下部と側部とにより隔離された内部空間を持ったアッパーボックスと、
このアッパーボックスの下部に取り外し可能に嵌め付けられるロアケースとを有しており、
アッパーボックスの前記内部空間には、前記通し溝に入れ込まれてこの通し溝に沿って移動される封筒の縁部にこの移動方向に沿ったカッティングを施す回転刃体と、この回転刃体を駆動させるモータとが納められていると共に、このモータの駆動回路における主回路部分が配設されており、
ロアケースには、電池装填部が形成されていると共に、前記モータの駆動回路における電源回路部分が配設されており、
アッパーボックスにロアケースを嵌め付けることにより、前記主回路部分と電源回路部分とが電気的に接続されるようになっていることを特徴とするレターオープナー。
【請求項２】
アッパーボックスの上部における通し溝を挟んだ一方側にある一方上面が、この通し溝を挟んだ他方側にある他方上面よりも上方に位置されていると共に、
この一方上面と他方上面との間に通し溝の一方側の溝壁に連続した段差面状をなす封筒の案内面が形成されており、
かつ、アッパーボックスおよびロアケースの側部の一部であって、前記一方上面側にある側部の一部が、この案内面に略平行をなす縦置き用支持面となっていることを特徴とする請求項１記載のレターオープナー。
【発明の詳細な説明】
【技術分野】
【０００１】
この発明は、電動式のレターオープナーの改良に関する。
【背景技術】
【０００２】
封筒の縁部の通し溝を有すると共に、この通し溝に刃部の一部を入り込ませた回転刃体を内蔵されたモータにより回転駆動させて、この通し溝に入れ込まれた状態でこの通し溝に沿って移動される前記縁部にこの回転刃体によってカッティングを施してこの封筒を開封するようにした電動式のレターオープナーがある。かかるレターオープナーにあっては一般に電池をモータの電源としている。このため、電池を交換する場合にはレターオープナーを構成するハウジングの少なくとも一部を開放させざるを得ないものであるところ、単純にこうした開放をさせるようにした場合、回転刃やモータなどが露呈され、これらに予期せず触れてしまい破損などを生じさせたり、これらに塵芥などを付着させてしまうといった不都合が生じる。
【発明の開示】
【発明が解決しようとする課題】
【０００３】
この発明が解決しようとする主たる問題点は、この種のレターオープナーにおける回転刃、モータおよびこのモータの駆動回路を構成する主回路部分が、電池の交換時に外部に露呈しないようにする点にある。
【課題を解決するための手段】
【０００４】
前記問題点を解決するために、この発明にあっては、レターオープナーを以下の（１）〜（５）の構成を備えたものとした。
（１）上部に封筒の縁部の通し溝を備え、この上部と下部と側部とにより隔離された内部空間を持ったアッパーボックスと、
（２）このアッパーボックスの下部に取り外し可能に嵌め付けられるロアケースとを有しており、
（３）アッパーボックスの前記内部空間には、前記通し溝に入れ込まれてこの通し溝に沿って移動される封筒の縁部にこの移動方向に沿ったカッティングを施す回転刃体と、この回転刃体を駆動させるモータとが納められていると共に、このモータの駆動回路における主回路部分が配設されており、
（４）ロアケースには、電池装填部が形成されていると共に、前記モータの駆動回路における電源回路部分が配設されており、
（５）アッパーボックスにロアケースを嵌め付けることにより、前記主回路部分と電源回路部分とが電気的に接続されるようになっている。
【０００５】
かかる構成によれば、前記通し溝に封筒の縁部を入れ込み、この通し溝に沿ってこの縁部を移動させることにより、この縁部に回転刃体の駆動によりカッティングを施してこの封筒をスムースに開封させることができる。アッパーボックスにおける回転刃体、モータおよび主回路部分は、外部と隔離された内部空間内に納められていることから、電池の交換にあたってこれらモータなどが外部に露呈することがなく、レターオープナーの機能を実現させる主要部品の予期せぬ破損や塵芥の付着などをできる限り防止することができる。電池の交換後はロアケースをアッパーボックスに嵌め付けるだけで回転刃体を駆動させるためのモータの駆動回路を復元させることができる。
【０００６】
前記アッパーボックスの上部における通し溝を挟んだ一方側にある一方上面が、この通し溝を挟んだ他方側にある他方上面よりも上方に位置されていると共に、
この一方上面と他方上面との間に通し溝の一方側の溝壁に連続した段差面状をなす封筒の案内面が形成されており、
かつ、アッパーボックスおよびロアケースの側部の一部であって、前記一方上面側にある側部の一部が、この案内面に略平行をなす縦置き用支持面となるようにしておくこともある。
【０００７】
このようにした場合、前記案内面を略鉛直に位置させた横置き状態においては、封筒の一面をこの案内面に側方から接しさせるようにして、この封筒の縁部を上方から通し溝に入れ込ませ、この通し溝に沿ってこの縁部を移動させることにより、安定良くこの封筒の縁部にカッティングを施すことができる。それと共に、前記縦置き用支持面を下にして前記案内面を略水平に位置させた縦置き状態においては、封筒の一面をこの案内面に上方から接しさせるようにして、この封筒の縁部を側方から通し溝に入れ込ませ、この通し溝に沿ってこの縁部を移動させることにより、この縦置き状態においても安定良くこの封筒の縁部にカッティングを施すことができる。
【発明の効果】
【０００８】
この発明にかかるレターオープナーにあっては、これを構成する回転刃、モータおよびこのモータの駆動回路を構成する主回路部分は外部と隔離されたアッパーケースの内部空間内に納められており、電池装填部はこのアッパーケースに取り外し可能に嵌め付けられるロアケースに備えられていることから、電池の交換時にかかる回転刃やモータなどを外部に露呈させることがない。
【発明を実施するための最良の形態】
【０００９】
以下、図１ないし図１８に基づいて、この発明を実施するための最良の形態について説明する。
【００１０】
なお、ここで図１ないし図６は、実施の形態にかかるレターオープナーをそれぞれ示しており、また、図６および図７は、封筒Ｌの縁部Ｌａを通し溝１０ａの一方の溝端側に入れ込ませた状態を、図８および図９は、図６の状態から封筒Ｌを通し溝１０ａに沿って移動させて、この縁部Ｌａに対してカッティングがなされている状態を、それぞれ示している。また、図１０は、縦置き用支持面３を下にしてレターオープナーを設置させた状態での封筒Ｌの縁部Ｌａのカッティングの様子を示している。
【００１１】
また、図１１および図１２は、レターオープナーを構成するアッパーボックス１の下部１１を上に配置されてこのアッパーボックス１の内部空間１３内に納められる部品をアッパーボックス１の下部１１以外を取り去って示したものであり、図１２は、図１１における回転刃体１５とその下方に配されるギアカバー１９ａとを取り去ってこのギアカバー１９ａ下のギア列１９を特に示している。
【００１２】
また、図１３および図１８は、アッパーボックス１とロアケース２との嵌め付け状態を示しており、また、図１４および図１５は、図１３の状態からアッパーボックス１をロアケース２から取り外した状態を示している。また、図１６は、アッパーボックス１の下部１１の外面側の様子を、図１７は、乾電池２３ａを装填したロアケース２を上方から視て示している。
【００１３】
この実施の形態にかかるレターオープナーは、封筒Ｌの縁部Ｌａの通し溝１０ａを有しており、この通し溝１０ａにこの縁部Ｌａを入れ込ませた状態で、この通し溝１０ａの一方側から他方側に向けて封筒Ｌの縁部Ｌａを移動させることに伴って、この縁部Ｌａにこの移動方向に沿ったカッティングを施してこの封筒Ｌを開封させるものである。
【００１４】
かかるレターオープナーは、アッパーボックス１とロアケース２とを備えている。
【００１５】
アッパーボックス１は、上部１０に封筒Ｌの縁部Ｌａの通し溝１０ａを備えていると共に、この上部１０と下部１１と側部１２とにより外部から隔離された内部空間１３を有している。
【００１６】
図示の例では、かかるアッパーボックス１は、平面視の状態において、仮想の円の円弧に沿うように形成された湾曲側部１２ａと、この仮想の円の円心を通るこの円を二分する仮想の直線に略平行をなす平坦側部１２ｂとを有している。湾曲側部１２ａはこの円を二分する仮想の直線の一方側から他方側の一部まで続くように形成されており、この他方側における湾曲側部１２ａの終端間に前記平坦側部１２ｂが形成されている。図示の例では、かかる平坦側部１２ｂが後述する縦置き用支持面３として機能するようになっている。図示の例では、かかる湾曲側部１２ａは、アッパーボックス１の下部１１から上部に向かうに連れて次第に内方に傾斜した傾斜面を持つように構成されている。
【００１７】
ロアケース２は、上面を開放させた箱状をなすように構成されている。そして、かかるロアケース２は、前記アッパーボックス１の下部１１に取り外し可能に嵌め付けられるようになっている。
【００１８】
図示の例では、ロアケース２の上部は、平面視の状態において、アッパーボックス１の下部１１の外郭形状と略同寸・同形の外郭形状を持つように構成されている。そして、図示の例では、アッパーボックス１の湾曲側部１２ａ側に形成された二カ所の弾性爪１４、１４と、平坦側部１２ｂ側に形成された二カ所の弾性爪１４、１４とが、それぞれ、ロアケース２の上部をアッパーボックス１の下部１１に組み合わせるにあたって、このロアケース２の開放縁部に突き当たって一旦内向きに弾性変形された後の弾発によってこの開放縁部のやや下方に形成された掛合凹部２０に引っかかるようになっている。図示の例では、アッパーボックス１とロアケース２とを分離させる向きに把持引っ張ることによりかかる弾性爪１４が再び内向きに撓み込むようになっており、これによりこの弾性爪１４の引っかかりを解いて一旦嵌め合わされたアッパーボックス１とロアケース２とを比較的容易に分離できるようにしてある。
【００１９】
また、この実施の形態にあっては、アッパーボックス１の上部１０における通し溝１０ａを挟んだ一方側にある一方上面１０ｃが、この通し溝１０ａを挟んだ他方側にある他方上面１０ｄよりも上方に位置されていると共に、
この一方上面１０ｃと他方上面１０ｄとの間に通し溝１０ａの一方側の溝壁１０ｂに連続した段差面状をなす封筒Ｌの案内面１０ｅが形成されており、
かつ、アッパーボックス１およびロアケース２の側部の一部であって、前記一方上面１０ｃ側にある側部の一部１２ｂ、２１が、この案内面１０ｅに略平行をなす縦置き用支持面３となっている。
【００２０】
図示の例にあっては、通し溝１０ａは、前記仮想の円の円心を通るこの円を二分する仮想の直線に沿って形成されていると共に、その溝両端をそれぞれアッパーボックス１の湾曲側部１２ａにおいて外方に開放させている。また、アッパーボックス１の通し溝１０ａを挟んだ一方側は、他方側よりも上方に隆起されており、これにより一方上面１０ｃは他方上面１０ｄよりも上方位置されている。かかる他方上面１０ｄは、ロアケース２の下部を下にしてレターオープナーを横置きした場合に、略水平に位置される。一方、この横置き状態においては、前記案内面１０ｅおよび縦置き用支持面３は略鉛直に位置される。他方、この縦置き用支持面３を下にしてレターオープナーを縦置きにした場合、案内面１０ｅは略水平に位置される。（図１０）
【００２１】
これにより、図示の例にあっては、前記案内面１０ｅを略鉛直に位置させた横置き状態においては、封筒Ｌの一面をこの案内面１０ｅに側方から接しさせるようにして、この封筒Ｌの縁部Ｌａを上方から通し溝１０ａに入れ込ませ、この通し溝１０ａに沿ってこの縁部Ｌａを移動させることにより、安定良くこの封筒Ｌの縁部Ｌａにカッティングを施すことができる。それと共に、前記縦置き用支持面３を下にして前記案内面１０ｅを略水平に位置させた縦置き状態においては、封筒Ｌの一面をこの案内面１０ｅに上方から接しさせるようにして、この封筒Ｌの縁部Ｌａを側方から通し溝１０ａに入れ込ませ、この通し溝１０ａに沿ってこの縁部Ｌａを移動させることにより、この縦置き状態においても安定良くこの封筒Ｌの縁部Ｌａにカッティングを施すことができる。
【００２２】
かかるアッパーボックス１の前記内部空間１３には、前記通し溝１０ａに入れ込まれてこの通し溝１０ａに沿って移動される封筒Ｌの縁部Ｌａにこの移動方向に沿ったカッティングを施す回転刃体１５と、この回転刃体１５を駆動させるモータ１６ａとが納められていると共に、このモータ１６ａの駆動回路における主回路部分１６が配設されている。
【００２３】
図示の例にあっては、かかる回転刃体１５は、前記通し溝１０ａの他方の溝端側に備えられている。また、この通し溝１０ａを挟んだ一方側と他方側とにそれぞれ回転刃体１５が設けられている。両回転刃体１５共に、回転軸を縦向きに配している。両回転刃体１５はいずれもその刃先の一部を通し溝１０ａの内方に入り込ませている。また、通し溝１０ａ内において、一方の回転刃体１５の刃先と他方の回転刃体１５の刃先とが上下に重なり合うようにして両回転刃体１５は備え付けられている。回転刃体１５の刃先が位置される箇所と通し溝１０ａの一方の溝端との間には、回動軸１７ｃを挟んだ一方側にレバー一端１７ａを備え、かつ、この他方側にレバー他端１７ｂを備え、この回動軸１７ｃ位置においてアッパーボックス１の内部に回動可能に組み付けられたレバー１７の、このレバー一端１７ａが常時付勢により通し溝１０ａ内に位置付けられるようになっている。そして、図示の例では、通し溝１０ａの一方の溝端側から封筒Ｌの縁部Ｌａをこの通し溝１０ａに入れ込んでこの通し溝１０ａの他方の溝端側に向けて移動させると、封筒Ｌの前端がレバー一端１７ａを押してレバー１７が回動され、この回動によってレバー他端１７ｂが駆動回路における主回路部分１６を構成するスイッチ１６ｂを閉成させるようになっている。このスイッチ１６ｂの閉成によりモータ１６ａが駆動され、ギア列１９を介して一対の回転刃体１５が、通し溝１０ａ内において上下に重なり合った両回転刃体１５、１５のこの重なり合った箇所を通り抜けようとする封筒Ｌの縁部Ｌａに協働してカッティングを施すように回転されるようになっている。
【００２４】
図示の例では、かかる主回路部分１６は、電源回路部分２３の第一端末２３ｃ（後述する直列に配列された乾電池２３ａの陽極）に接続される第一端末１６ｃと、電源回路部分２３の第二端末２３ｄ（後述する直列に配列された乾電池２３ａの陰極）に接続される第二端末１６ｄとの間に、前記モータ１６ａとスイッチ１６ｂとを介在させることにより、構成されている。
【００２５】
一方、ロアケース２には、電池装填部２２が形成されていると共に、前記モータ１６ａの駆動回路における電源回路部分２３が配設されている。
【００２６】
図示の例では、ロアケース２の上面開口を通じてこのロアケース２内に四本の乾電池２３ａを、この乾電池２３ａの軸線を前記縦置き用支持面３に対し略平行とする向きで、装填できるようにしてある。装填された四本の乾電池２３ａはコンタクト２３ｂによって直列に接続され合うようになっている。すなわち、図示の例では、かかる電源回路部分２３は、乾電池２３ａとコンタクト２３ｂとにより構成されている。
【００２７】
そして、この実施の形態にあっては、かかるアッパーボックス１にロアケース２を嵌め付けることにより、前記主回路部分１６と電源回路部分２３とが電気的に接続されるようになっている。
【００２８】
この実施の形態にかかるレターオープナーにあっては、前記通し溝１０ａに封筒Ｌの縁部Ｌａを入れ込み、この通し溝１０ａに沿ってこの縁部Ｌａを移動させることにより、この縁部Ｌａに回転刃体１５の駆動によりカッティングを施してこの封筒Ｌをスムースに開封させることができる。アッパーボックス１における回転刃体１５、モータ１６ａおよび主回路部分１６は、外部と隔離された内部空間１３内に納められていることから、電池２３ａの交換にあたってこれらモータ１６ａなどが外部に露呈することがなく、レターオープナーの機能を実現させる主要部品の予期せぬ破損や塵芥の付着などをできる限り防止することができる。電池２３ａの交換後はロアケース２をアッパーボックス１に嵌め付けるだけで回転刃体１５を駆動させるためのモータ１６ａの駆動回路を復元させることができる。
【００２９】
また、この実施の形態にあっては、かかるアッパーボックス１の下部１１に、このアッパーボックス１にロアケース２を嵌め付けることによりこのロアケース２内に入り込む片部１８が形成されており、この片部１８に電源回路部分２３の端末２３ｃ、２３ｄに電気的に接続される主回路部分１６の端末１６ｃ、１６ｄが設けられている。
【００３０】
図示の例では、アッパーボックス１の下部１１を構成する底板から下方に向けて二つの片部１８、１８が突出されており、この二つの片部１８、１８の一方に主回路部分１６の第一端末１６ｃが備えられ、また、この二つの片部１８、１８の他方に主回路部分１６の第二端末１６ｄが備えられている。
【図面の簡単な説明】
【００３１】
【図１】レターオープナーの正面図
【図２】同背面図
【図３】同平面図
【図４】同左側面図
【図５】同右側面図
【図６】使用状態を示した正面図
【図７】同一部破断平面図
【図８】同正面図
【図９】同一部破断平面図
【図１０】縦置きでの使用状態を示した側面図
【図１１】アッパーボックス１の内部機構を示した平面構成図
【図１２】同平面構成図
【図１３】レターオープナーの要部破断左側面図
【図１４】同要部破断分離側面図
【図１５】同要部破断分離正面図
【図１６】図１５におけるＢ−Ｂ線方向から視たアッパーボックス１の底面図
【図１７】図１５におけるＡ−Ａ線方向から視たロアケース２の平面図
【図１８】レターオープナーの要部破断正面図
【符号の説明】
【００３２】
１  アッパーボックス
１０  上部
１０ａ  通し溝
１１  下部
１２  側部
１３  内部空間
１５  回転刃体
１６  主回路部分
１６ａ  モータ
２  ロアケース
２２  電池装填部
２３  電源回路部分
Ｌ  封筒
Ｌａ  縁部
【図１】
2006076025.tif 000003
【図２】
2006076025.tif 000004
【図３】
2006076025.tif 000005
【図４】
2006076025.tif 000006
【図５】
2006076025.tif 000007
【図６】
2006076025.tif 000008
【図７】
2006076025.tif 000009
【図８】
2006076025.tif 000010
【図９】
2006076025.tif 000011
【図１０】
2006076025.tif 000012
【図１１】
2006076025.tif 000013
【図１２】
2006076025.tif 000014
【図１３】
2006076025.tif 000015
【図１４】
2006076025.tif 000016
【図１５】
2006076025.tif 000017
【図１６】
2006076025.tif 000018
【図１７】
2006076025.tif 000019
【図１８】
2006076025.tif 000020